(57)【特許請求の範囲】
【請求項１】
燃焼用空気を通風路を通して全一次予混合型のバーナに通風すると共に、その通風に伴って供給される燃料を前記燃焼用空気と混合して前記バーナに供給し、且つ、前記バーナの燃焼ガスを加熱対象物を加熱させるように流動させる通風ファンと、
前記通風ファンの通風作動により吸引力が作用するように前記通風路に接続されて、燃料を供給する燃料供給路と、
前記燃料供給路から前記通風路に供給される燃料の供給圧力を設定圧力に自動調整する圧力調整手段と、
前記加熱対象物が目標加熱状態となるように、前記通風ファンの回転速度を制御する燃焼制御処理を実行する制御手段とが設けられている全一次式燃焼バーナの燃焼制御装置であって、
前記通風ファンの回転速度とその回転速度に対応する前記バーナの基準燃焼量との関係を、燃焼基準関係として記憶する燃焼基準関係記憶手段と、
基準設置状態についての、前記通風ファンの回転速度とその回転速度に対応する基準仕事量との関係を、ファン基準関係として記憶するファン基準関係記憶手段と、
前記通風ファンの回転速度を検出するファン回転速度検出手段と、
前記通風ファンの実仕事量を検出するファン仕事量検出手段と、
前記加熱対象物の燃焼ガスからの受熱量に基づいて前記バーナの実燃焼量を求める燃焼量算出手段とが設けられ、
前記制御手段が、前記燃焼制御処理において、
前記回転速度検出手段にて検出される回転速度と前記燃焼基準関係記憶手段にて記憶されている燃焼基準関係とに基づいて求められる、その回転速度での基準燃焼量である判定燃焼量に対して、前記燃焼量算出手段にて算出される実燃焼量が適正範囲を外れ、且つ、前記回転速度検出手段にて検出される回転速度と前記ファン基準関係記憶手段にて記憶されているファン基準関係とに基づいて求められる、その回転速度での基準仕事量である判定仕事量に対して、前記ファン仕事量検出手段にて検出される実仕事量が適正範囲を外れている場合には、前記通風ファンによる通風状態が異常である通風異常であると判別し、
前記判定燃焼量に対して前記実燃焼量が適正範囲を外れ、且つ、前記判定仕事量に対して前記実仕事量が適正範囲内である場合には、前記燃焼ガスにて前記加熱対象物を加熱するときの熱効率が異常である熱効率異常であると判別する判別処理を実行するように構成されている全一次式燃焼バーナの燃焼制御装置。
【請求項２】
前記燃料供給路が、前記通風路における前記通風ファンの設置箇所よりも上流側部分に接続され、
前記制御手段が、前記判別処理において、前記通風異常として、
前記判定燃焼量に対して前記実燃焼量が適正範囲を減少側に外れ、且つ、前記判定仕事量に対して前記実仕事量が適正範囲を減少側に外れている第１異常状態と、前記判定燃焼量に対して前記実燃焼量が適正範囲を増加側に外れ、且つ、前記判定仕事量に対して前記実仕事量が適正範囲を減少側に外れている第２異常状態とを区別して判別するように構成されている請求項１記載の全一次式燃焼バーナの燃焼制御装置。
【請求項３】
前記制御手段が、前記燃焼制御処理において、
前記判別処理によって前記第１異常状態を判別した場合には、前記燃焼基準関係記憶手段にて記憶されている燃焼基準関係において、同一の回転速度に対応する基準燃焼量を小側に移動させる補正、及び、前記ファン基準関係記憶手段にて記憶されているファン基準関係において、同一の回転速度に対応する基準仕事量を小側に移動させる補正を行うように構成されている請求項２記載の全一次式燃焼バーナの燃焼制御装置。
【請求項４】
前記制御手段が、前記燃焼基準関係の補正を行った結果、その補正後の燃焼基準関係において前記バーナの燃焼量の設定変動範囲における最大値に対応する回転速度が設定速度範囲を外れる場合、又は、前記ファン基準関係の補正を行った結果、その補正後のファン基準関係において前記通風ファンの仕事量の設定変動範囲における最大値に対応する回転速度が設定速度範囲を外れる場合には、前記通風異常が過大であると判断して、安全処理を実行するように構成されている請求項３記載の全一次式燃焼バーナの燃焼制御装置。
【請求項５】
前記通風路に吸入される前記燃焼用空気の供給量を調整する空気量調整手段が設けられ、
前記制御手段が、前記燃焼制御処理において、
前記判別処理によって前記第２異常状態を判別した場合には、前記空気量調整手段を空気量増加側に調整するように構成されている請求項２記載の全一次式燃焼バーナの燃焼制御装置。
【請求項６】
前記制御手段が、前記空気量調整手段の調整を行った結果、その調整が設定調整範囲を外れる場合には、前記通風異常が過大であると判断して、安全処理を実行するように構成されている請求項５記載の全一次式燃焼バーナの燃焼制御装置。
【請求項７】
前記燃料供給路から前記通風路への燃料供給量を調整する燃料供給量調整手段が設けられ、
前記制御手段が、前記燃焼制御処理において、
前記判別処理によって前記第２異常状態を判別した場合には、前記燃料供給量調整手段を供給量減少側に調整するとともに、前記燃焼基準関係記憶手段に記憶されている燃焼基準関係において、同一の回転速度に対応する基準燃焼量を小側に移動させる補正、及び、前記ファン基準関係記憶手段に記憶されているファン基準関係において、同一の回転速度に対応する基準仕事量を小側に移動させる補正を行うように構成されている請求項２記載の全一次式燃焼バーナの燃焼制御装置。
【請求項８】
前記制御手段が、前記燃料供給量調整手段の調整を行った結果、その調整が設定調整範囲を外れる場合には、前記通風異常が過大であると判断して、安全処理を実行するように構成されている請求項７記載の全一次式燃焼バーナの燃焼制御装置。
【請求項９】
前記制御手段が、前記判別処理において、
前記熱効率異常として、前記判定燃焼量に対して前記実燃焼量が適正範囲を減少側に外れ、且つ、前記判定仕事量に対して前記実仕事量が適正範囲内である熱効率小側異常と、前記判定燃焼量に対して前記実燃焼量が適正範囲を増加側に外れ、且つ、前記判定仕事量に対して前記実仕事量が適正範囲内である熱効率大側異常とを判別し、
前記燃焼制御処理において、前記判別処理によって前記熱効率小側及び大側異常を判別した場合には、安全処理を実行するように構成されている請求項１記載の全一次式燃焼バーナの燃焼制御装置。
【請求項１０】
前記圧力調整手段が、前記燃料供給路に設置されて、その設置箇所よりも下流側の燃料供給圧力を大気圧に調整するゼロガバナにて構成されている請求項１〜９のいずれか１項に記載の全一次式燃焼バーナの燃焼制御装置。
【発明の詳細な説明】
【０００１】
【発明の属する技術分野】
本発明は、燃焼用空気を通風路を通して全一次予混合型のバーナに通風すると共に、その通風に伴って供給される燃料を前記燃焼用空気と混合して前記バーナに供給し、且つ、前記バーナの燃焼ガスを加熱対象物を加熱させるように流動させる通風ファンと、前記通風ファンの通風作動により吸引力が作用するように前記通風路に接続されて、燃料を供給する燃料供給路と、前記燃料供給路から前記通風路に供給される燃料の供給圧力を設定圧力に自動調整する圧力調整手段と、前記加熱対象物が目標加熱状態となるように、前記通風ファンの回転速度を制御する燃焼制御処理を実行する制御手段とが設けられている全一次式燃焼バーナの燃焼制御装置に関する。
【０００２】
【従来の技術】
上記全一次式燃焼バーナの燃焼制御装置は、通風ファンの回転速度を制御することによりバーナの燃焼量を調整して、加熱対象物の加熱状態を目標加熱状態に制御するようにしたものである。
給湯装置に適用した場合を例に挙げて説明すると、給水される水を加熱して出湯する熱交換器を、全一次予混合型のバーナの燃焼ガスにて加熱することになるが、加熱対象物としての水が目標加熱状態としての目標温度になるように、通風ファンの回転速度を制御して、バーナの燃焼量を調整することになる。
通風ファンの回転速度の変更によりバーナの燃焼量が調整される点について説明を加えると、通風ファンの回転速度が増減調整されると燃料供給路に作用する吸引力も増減変化することになる。そして、その吸引力の変化に拘らず、圧力調整手段が燃料供給路から通風路に供給される燃料の供給圧力を設定圧力に自動調整するため、燃料供給路から通風路に供給される燃料供給量が回転速度の増減に応じて変更されて、バーナの燃焼量が調整されることになる。ちなみに、圧力調整手段がゼロガバナである場合においては、回転速度の増減つまり通風量の増減に比例する形態で燃料供給量が増減するものであるから、燃焼量の変動に拘らず適正な空燃比に維持されることになる。
【０００３】
尚、加熱対象物としての水を目標加熱状態としての目標温度にするために、通風ファンの回転速度を制御する燃料制御処理の具体形態としては、熱交換器から出湯される湯の温度を検出して、その検出した出湯温度が目標温度になるように通風ファンの回転速度を増減制御するフィードバック制御の形態や、熱交換器に給水される水の入水温度と給水量とを検出して、それらの検出情報から熱交換器より出湯される湯の温度を目標温度にするために必要なバーナの燃焼量、換言すれば通風ファンの目標回転速度を演算して、通風ファンの回転速度を検出する回転速度センサの検出値が目標回転速度になるように通風ファンの回転速度を制御するフィードフォワード制御の形態を用いることができ、さらには、このフィードフォワード形態において、熱交換器から出湯される湯の温度を検出して、出湯温度と目標温度との偏差に応じて、通風ファンの目標回転速度をフィードバック補正する形態を用いることもできる。
【０００４】
また、上記全一次式燃焼バーナの燃焼制御装置では、通風ファンの仕事量の情報に基づいて通風ファンの通風経路において通風異常（例えば閉塞）が発生しているか否かを判別するようにしていた。即ち、通風ファンの回転速度を上げて通風量を多くするほど通風ファンの仕事量が大きくなるので、その通風ファンの回転速度と仕事量との対応関係を予め求めておき、実際の燃焼制御時に求めた通風ファンの回転速度と仕事量との関係が上記対応関係に一致しているか否かによって、通風ファンの通風異常が発生しているか否かを判別していた。
【０００５】
【発明が解決しようとする課題】
しかしながら、上記従来技術では、通風ファンの仕事量によって通風ファンの通風経路における通風異常として閉塞が検出された場合に、ファン仕事量だけでは、その閉塞が排気閉塞であるのか、給気閉塞であるのかを区別することができなかった。
因みに、上記排気閉塞は、通風ファンそのものに塵埃が付着したり、通風路における通風ファンの設置箇所よりも下流側に閉塞が生じたり、燃焼ガスの排気経路が閉塞したり、熱交換器の伝熱フィンの間が詰まっている等の原因によって、通風量不足になっている状態を指す。
給気閉塞は、通風路の空気吸入口が閉塞したり、通風路における燃料供給路の接続箇所よりも上流側部分が閉塞したりしている等の原因によって、燃料供給路に適正状態よりも過大な吸引力が作用する状態を指す。
【０００６】
ところで、例えば給湯装置において、通風ファンの回転速度を所定の回転速度に制御している状態で、給水する水の入水温度と熱交換器から出湯する湯の温度との温度差及び通水量の各検出情報に基づいて、加熱された水が燃焼ガスから受け取った受熱量を求めることができ、この受熱量と上記ファン回転速度に対応するバーナの燃焼量即ち発熱量とから、燃焼ガスにて水を加熱するときの熱効率を算出することができるが、従来では、必ずしも熱効率が正常であるか否かを的確に判別できないおそれがあった。
【０００７】
即ち、例えば燃焼ガスの排気経路において閉塞が生じた場合には、通風ファンを所定の回転速度に制御しても、通風ファンの通風量が低下してファン回転速度に対応した量よりも少ない量の燃料しかバーナに供給されなくなるので、実際の熱効率は変化していなくても、ファン回転速度に対応するバーナの燃焼量と加熱対象物の受熱量とから求めた熱効率の値は、上記閉塞が生じていないときの値よりも小さくなり、熱効率が低下していると誤って判断されることになる。
又、通風路に対する燃焼用空気の吸入口に閉塞が生じた場合には、燃焼用空気の供給量が減少するのに応じて燃料供給量が増加して、ファン回転速度に対応した量よりも多い量の燃料がバーナに供給されるので、実際の熱効率は変化していなくても、ファン回転速度に対応するバーナの燃焼量と加熱対象物の受熱量とから求めた熱効率の値は、上記吸入口での閉塞が生じていないときの値よりも大きくなり、熱効率が高くなっていると誤って判断されることになる。尚、この場合は、燃焼用空気の減少と燃料供給量の増加により燃焼用空気と燃料との混合比が変化するので、この混合比の変化を検出して、熱効率が変化したのか燃焼用空気量が減少したのかを判別することも可能であるが、混合比検出用の特別の検出手段が必要であり、装置構成が複雑化する不利がある。
【０００８】
本発明は上記実情に鑑みてなされたものであって、その第１の目的は、燃焼制御を行うために本来的に備えさせる構成を有効利用した簡素な構成で、通風ファンの通風状態が異常であるのか、熱効率が異常であるのかを的確に判別することが可能となる全一次式燃焼バーナの燃焼制御装置を提供する点にある。
さらに、第２の目的は、上記通風ファンの通風異常として閉塞状態が検出された場合に、それが排気閉塞であるのか、給気閉塞であるのかを区別して判別することが可能となる全一次式燃焼バーナの燃焼制御装置を提供する点にある。
【０００９】
【課題を解決するための手段】
請求項１に記載の発明によれば、前記通風ファンの回転速度とその回転速度に対応する前記バーナの基準燃焼量との関係を、燃焼基準関係として記憶する燃焼基準関係記憶手段と、基準設置状態についての、前記通風ファンの回転速度とその回転速度に対応する基準仕事量との関係を、ファン基準関係として記憶するファン基準関係記憶手段と、前記通風ファンの回転速度を検出するファン回転速度検出手段と、前記通風ファンの実仕事量を検出するファン仕事量検出手段と、前記加熱対象物の燃焼ガスからの受熱量に基づいて前記バーナの実燃焼量を求める燃焼量算出手段とが設けられ、
前記制御手段が、前記燃焼制御処理において、前記回転速度検出手段にて検出される回転速度と前記燃焼基準関係記憶手段にて記憶されている燃焼基準関係とに基づいて求められる、その回転速度での基準燃焼量である判定燃焼量に対して、前記燃焼量算出手段にて算出される実燃焼量が適正範囲を外れ、且つ、前記回転速度検出手段にて検出される回転速度と前記ファン基準関係記憶手段にて記憶されているファン基準関係とに基づいて求められる、その回転速度での基準仕事量である判定仕事量に対して、前記ファン仕事量検出手段にて検出される実仕事量が適正範囲を外れている場合には、前記通風ファンによる通風状態が異常である通風異常であると判別し、
前記判定燃焼量に対して前記実燃焼量が適正範囲を外れ、且つ、前記判定仕事量に対して前記実仕事量が適正範囲内である場合には、前記燃焼ガスにて前記加熱対象物を加熱するときの熱効率が異常である熱効率異常であると判別する判別処理を実行するように構成されている。
【００１０】
すなわち、この全一次式燃焼バーナの燃焼制御装置では、通風ファンの通風状態が正常である即ち上記基準設置状態にあるときに、燃焼ガスにて加熱対象物を加熱するときの熱効率が正常であれば、通風ファンの回転速度の増減変更に応じて、通風ファンの実仕事量が上記ファン基準関係に従って増減変更されるとともに、バーナの実燃焼量も上記燃焼基準関係に従って増減変更されることになり、通風ファンの通風状態が異常であって上記熱効率が正常であるときは、通風ファンの回転速度を増減変更させると、通風ファンの実仕事量が上記ファン基準関係から外れるとともに、バーナの実燃焼量も上記燃焼基準関係から外れることになり、通風ファンの通風状態が正常であって上記熱効率が異常であれば、通風ファンの回転速度の増減変更に応じて、通風ファンの実仕事量が上記ファン基準関係に従って増減変更されるのに、バーナの実燃焼量は上記燃焼基準関係から外れることになるので、これらによって、通風ファンの通風状態の異常か熱効率の異常かを判別できることに基づくものである。
【００１１】
つまり、通風ファンの実仕事量がそのときの通風ファンの回転速度に対応する判定仕事量に対して適正範囲を外れていることは、通風ファンの通風状態が基準設置状態になく異常であることを示すので、通風ファンの実仕事量が上記判定仕事量に対して適正範囲を外れている状態で、加熱対象物の受熱量から求めたバーナの実燃焼量がそのときの通風ファンの回転速度に対応する判定燃焼量の適正範囲を外れているときは、通風ファンの通風状態が異常であるためにこの実燃焼量と判定燃焼量との不一致が生じているものであり、その結果、通風ファンの通風状態が異常であると判別できるのである。一方、通風ファンの実仕事量が上記判定仕事量に対して適正範囲内にあることは、通風ファンの通風状態が基準設置状態にあり正常であることを示すので、通風ファンの実仕事量が上記判定仕事量に対して適正範囲内にある状態で、バーナの実燃焼量が上記判定燃焼量の適正範囲を外れているときは、上記熱効率が異常であるためにこの実燃焼量と判定燃焼量との不一致が生じているものであり、その結果、上記熱効率が異常であると判別できるのである。
【００１２】
したがって、燃焼制御状態において、通風ファンの回転速度、ファン仕事量及びバーナの実燃焼量の各検出情報と、燃焼基準状態及びファン基準状態の各記憶情報とに基づいて、通風ファンの通風状態が異常である通風異常であるのか、熱効率が異常である熱効率異常であるのかを判別することができる。
もって、請求項１に記載の発明によれば、燃焼制御のために本来的に備えた構成を有効利用した簡素な装置構成によって、通風ファンの通風状態が異常であるのか熱効率が異常であるのかを的確に判別することが可能となる全一次式燃焼バーナの燃焼制御装置を提供することができる。
【００１３】
請求項２に記載の発明によれば、請求項１に記載の発明において、前記燃料供給路が、前記通風路における前記通風ファンの設置箇所よりも上流側部分に接続され、
前記制御手段が、前記判別処理において、前記通風異常として、前記判定燃焼量に対して前記実燃焼量が適正範囲を減少側に外れ、且つ、前記判定仕事量に対して前記実仕事量が適正範囲を減少側に外れている第１異常状態と、前記判定燃焼量に対して前記実燃焼量が適正範囲を増加側に外れ、且つ、前記判定仕事量に対して前記実仕事量が適正範囲を減少側に外れている第２異常状態とを区別して判別するように構成されている。
【００１４】
すなわち、上記第１異常状態は、通風路における通風ファンの設置箇所よりも上流側部分に接続された燃料供給路から供給された燃料が、燃焼用空気と混合されたのち通風ファンを経てバーナに至りさらに燃焼ガスとして排気される排気経路のいずれかの箇所において閉塞が生じ、そのためバーナへの燃料供給量が少なくなってバーナの燃焼量が減少した排気閉塞状態であると判別され、又、上記第２異常状態は、通風路に対する燃焼用空気の供給経路において閉塞が生じ、そのため燃焼用空気の供給量が減少するのに応じて、上記燃料供給路から供給される燃料供給量が増加してバーナへの燃料供給量が多くなり、バーナの燃焼量が増加した給気閉塞状態であると判別される。
【００１５】
したがって、通風ファンの通風異常が生じた場合に、排気閉塞であるのか、給気閉塞であるのかを区別して判別することが可能となり、もって、請求項１に記載の発明に係る全一次式燃焼バーナの燃焼制御装置の好適な手段が得られる。
【００１６】
請求項３に記載の発明によれば、請求項２に記載の発明において、前記制御手段が、前記燃焼制御処理において、前記判別処理によって前記第１異常状態を判別した場合には、前記燃焼基準関係記憶手段にて記憶されている燃焼基準関係において、同一の回転速度に対応する基準燃焼量を小側に移動させる補正、及び、前記ファン基準関係記憶手段にて記憶されているファン基準関係において、同一の回転速度に対応する基準仕事量を小側に移動させる補正を行うように構成されている。
【００１７】
すなわち、前記第１異常状態を判別した場合には、同一のファン回転速度に対して、実燃焼量が前記燃焼基準関係にて求められる基準燃焼量よりも減少側にずれ、また、同一のファン回転速度に対して、実仕事量が前記ファン基準関係にて求められる基準仕事量よりも減少側にずれているので、上記実燃焼量と基準燃焼量のずれをなくすために、燃焼基準関係記憶手段にて記憶されている燃焼基準関係において、同一の回転速度に対応する基準燃焼量を小側に移動させる補正を行い、また、上記実仕事量と基準仕事量のずれをなくすために、ファン基準関係記憶手段にて記憶されているファン基準関係において、同一の回転速度に対応する基準仕事量を小側に移動させる補正を行うのである。
【００１８】
したがって、前記排気閉塞が生じている場合には、例えば前述のフィードフォワード制御によって通風ファンの回転速度を制御する燃焼制御形態を実行する場合において、上記補正された燃焼基準関係を用いることによって、加熱対象物を目標加熱状態にするために必要な燃焼量となる通風ファンの目標回転速度に的確に設定して、良好な燃焼制御を行うことができ、また、バーナの点火に必要な燃焼量となるファン回転速度を的確に設定して、不点火等の不具合を回避させて良好な点火処理を行うこともでき、もって、請求項２に記載の発明に係る全一次式燃焼バーナの燃焼制御装置の好適な手段が得られる。
【００１９】
請求項４に記載の発明によれば、請求項３に記載の発明において、前記制御手段が、前記燃焼基準関係の補正を行った結果、その補正後の燃焼基準関係において前記バーナの燃焼量の設定変動範囲における最大値に対応する回転速度が設定速度範囲を外れる場合、又は、前記ファン基準関係の補正を行った結果、その補正後のファン基準関係において前記通風ファンの仕事量の設定変動範囲における最大値に対応する回転速度が設定速度範囲を外れる場合には、前記通風異常が過大であると判断して、安全処理を実行するように構成されている。
【００２０】
すなわち、燃焼基準関係において、同一の回転速度に対応する基準燃焼量を小側に移動させる補正を行ったために、バーナの燃焼量の設定変動範囲における最大値に対応する回転速度が通風ファンの設定速度範囲を外れる場合、又は、ファン基準関係において、同一の回転速度に対応する基準仕事量を小側に移動させる補正を行ったために、通風ファンの仕事量の設定変動範囲における最大値に対応する回転速度が設定速度範囲を外れる場合は、排気閉塞の程度が大きく、通風異常が過大であると判断されるので、安全処理を実行するのである。
この場合の安全処理としては、バーナの燃焼量の設定変動範囲の最大値を下げる燃焼量の変動範囲の制限処理、バーナの燃焼を停止させる燃焼停止処理、ブザーやランプ等による異常報知処理などが実行される。
【００２１】
したがって、排気閉塞の程度が大きいために、例えば燃焼装置の寿命と判断されるような場合には、適切な安全処理を行うことによって、装置損傷などのトラブルを未然に防止することができ、もって、請求項３に記載の発明に係る全一次式燃焼バーナの燃焼制御装置の好適な手段が得られる。
【００２２】
請求項５に記載の発明によれば、請求項２に記載の発明において、前記通風路に吸入される前記燃焼用空気の供給量を調整する空気量調整手段が設けられ、
前記制御手段が、前記燃焼制御処理において、前記判別処理によって前記第２異常状態を判別した場合には、前記空気量調整手段を空気量増加側に調整するように構成されている。
【００２３】
すなわち、前記第２異常状態を判別した場合は、給気閉塞が生じ、その結果、燃焼用空気の供給量が減少する一方で燃料供給量が増加して、燃焼用空気と燃料の混合比が適正値からずれ、通風ファンの回転速度と基準燃焼量との関係が前記燃焼基準関係からずれ、さらに通風ファンの回転速度と基準仕事量との関係が前記ファン基準関係からずれているので、通風路に吸入される燃焼用空気の供給量を調整する空気量調整手段を空気量増加側に調整することにより、上記燃焼用空気の供給量を増加させるとともに燃料供給量を減少させて、燃焼用空気と燃料の混合比を適正値に戻し、通風ファンの回転速度と基準燃焼量との関係を前記燃焼基準関係に戻し、通風ファンの回転速度と基準仕事量との関係を前記ファン基準関係に戻すようにするのである。
【００２４】
したがって、通風路に対する燃焼用空気の供給経路において閉塞が生じた場合には、空気量調整手段として例えば開度変更自在なダンパー等の調整手段を空気供給箇所に設けて、通風路に吸入される燃焼用空気の供給量を調整するだけの簡素な構成によって、燃焼用空気と燃料の混合比を適正値に維持しながら、適正な燃焼制御を行わせるようにすることができる。例えばフィードフォワード制御により通風ファンの回転速度を制御する燃焼制御形態において、前記燃焼基準関係を用いて加熱対象物を目標加熱状態にするためのファン回転速度に的確に制御して良好な燃焼制御を行うことができ、もって、請求項２に記載の発明に係る全一次式燃焼バーナの燃焼制御装置の好適な手段が得られる。
【００２５】
請求項６に記載の発明によれば、請求項５に記載の発明において、前記制御手段が、前記空気量調整手段の調整を行った結果、その調整が設定調整範囲を外れる場合には、前記通風異常が過大であると判断して、安全処理を実行するように構成されている。
【００２６】
すなわち、空気量増加側に調整したために、前記空気量調整手段が設定調整範囲を外れる場合は、給気閉塞の程度が大きく、通風異常が過大であると判断されるので、安全処理を実行するのである。この場合の安全処理としては、バーナの燃焼を停止させる燃焼停止処理、ブザーやランプ等による異常報知処理などが実行される。
【００２７】
したがって、給気閉塞の程度が大きいために、例えば燃焼装置の寿命と判断されるような場合には、適切な安全処理を行うことによって、装置損傷などのトラブルを未然に防止することができ、もって、請求項５に記載の発明に係る全一次式燃焼バーナの燃焼制御装置の好適な手段が得られる。
【００２８】
請求項７に記載の発明によれば、請求項２に記載の発明において、前記燃料供給路から前記通風路への燃料供給量を調整する燃料供給量調整手段が設けられ、
前記制御手段が、前記燃焼制御処理において、前記判別処理によって前記第２異常状態を判別した場合には、前記燃料供給量調整手段を供給量減少側に調整するとともに、前記燃焼基準関係記憶手段に記憶されている燃焼基準関係において、同一の回転速度に対応する基準燃焼量を小側に移動させる補正、及び、前記ファン基準関係記憶手段に記憶されているファン基準関係において、同一の回転速度に対応する基準仕事量を小側に移動させる補正を行うように構成されている。
【００２９】
すなわち、前記第２異常状態を判別した場合は、給気閉塞が生じ、その結果、燃焼用空気の供給量が減少する一方で燃料供給量が増加して、燃焼用空気と燃料の混合比が適正値からずれ、通風ファンの回転速度と基準燃焼量との関係が前記燃焼基準関係からずれ、さらに通風ファンの回転速度と基準仕事量との関係が前記ファン基準関係からずれているので、燃料供給路から通風路への燃料供給量を調整する燃料供給量調整手段を供給量減少側に調整して、燃焼用空気と燃料の混合比を適正値に戻すように調整するが、この燃料供給量の調整によっては上記通風ファンの回転速度と基準燃焼量との関係が前記燃焼基準関係からずれている状態、及び、通風ファンの回転速度と基準仕事量との関係が前記ファン基準関係からずれている状態は解消しないので、この両ずれをなくすために、燃焼基準関係記憶手段にて記憶されている燃焼基準関係において、同一の回転速度に対応する基準燃焼量を小側に移動させる補正を行い、上記実仕事量と基準仕事量のずれをなくすために、ファン基準関係記憶手段にて記憶されているファン基準関係において、同一の回転速度に対応する基準仕事量を小側に移動させる補正を行うのである。
【００３０】
したがって、通風路に対する燃焼用空気の供給経路において閉塞が生じた場合には、燃料供給量調整手段として例えば流量調整弁等の簡素な調整手段を燃料供給箇所に設けて、その弁開度を変更させて燃料供給量を調整するだけの簡素な構成により、燃焼用空気と燃料の混合比を適正値に維持して適正な燃焼を行わせるようにすることができ、さらに、燃焼基準関係とファン基準関係の補正により、例えばフィードフォワード制御により通風ファンの回転速度を制御する燃焼制御形態において、補正された燃焼基準関係を用いて加熱対象物を目標加熱状態にするためのファン回転速度に的確に制御して良好な燃焼制御を行うことができるとともに、補正されたファン基準関係を用いてファン仕事量を的確に判別することができ、もって、請求項２に記載の発明に係る全一次式燃焼バーナの燃焼制御装置の好適な手段が得られる。
【００３１】
請求項８に記載の発明によれば、請求項７に記載の発明において、前記制御手段が、前記燃料供給量調整手段の調整を行った結果、その調整が設定調整範囲を外れる場合には、前記通風異常が過大であると判断して、安全処理を実行するように構成されている。
すなわち、燃料供給量減少側に調整したために、前記燃料供給量調整手段が設定調整範囲を外れる場合は、給気閉塞の程度が大きくて通風異常が過大と判断されるので、安全処理を実行するのである。尚、この場合の安全処理としては、バーナの燃焼を停止させる燃焼停止処理、ブザーやランプ等による異常報知処理などが実行される。
【００３２】
したがって、給気閉塞の程度が大きくて、例えば燃焼装置の寿命と判断されるような場合には、適切な安全処理を行うことによって、装置損傷などのトラブルを未然に防止することができ、もって、請求項７に記載の発明に係る全一次式燃焼バーナの燃焼制御装置の好適な手段が得られる。
【００３３】
請求項９に記載の発明によれば、請求項１に記載の発明において、前記制御手段が、前記判別処理において、前記熱効率異常として、前記判定燃焼量に対して前記実燃焼量が適正範囲を減少側に外れ、且つ、前記判定仕事量に対して前記実仕事量が適正範囲内である熱効率小側異常と、前記判定燃焼量に対して前記実燃焼量が適正範囲を増加側に外れ、且つ、前記判定仕事量に対して前記実仕事量が適正範囲内である熱効率大側異常とを区別し、前記燃焼制御処理において、前記判別処理によって前記熱効率小側及び大側異常を判別した場合には、安全処理を実行するように構成されている。
【００３４】
すなわち、通風ファンの実仕事量が前記判定仕事量の適正範囲内である、つまり通風ファンの通風状態は正常であるのに、バーナの実燃焼量が前記判定燃焼量の適正範囲を減少側に外れているのは、燃焼ガスにて加熱対象物を加熱するときの熱効率が設定値よりも小さくなり、バーナの実燃焼量が低下した熱効率異常のためであると判別され、又、通風ファンの実仕事量が前記判定仕事量の適正範囲内である、つまり通風ファンの通風状態は正常であるのに、バーナの実燃焼量が前記判定燃焼量の適正範囲を増加側に外れているのは、燃焼ガスにて加熱対象物を加熱するときの熱効率が設定値よりも大きくなり、バーナの実燃焼量が増加した熱効率異常のためであると判別され、かかる小側及び大側の熱効率異常が生じている場合には安全処理を実行するのである。この場合の安全処理としては、バーナの燃焼を停止させる燃焼停止処理、ブザーやランプ等による異常報知処理などが実行される。
【００３５】
したがって、熱効率異常として、熱効率が設定値から小側にずれた熱効率小側異常と、大側にずれた熱効率大側異常とを区別して判別することが可能となり、しかも、熱効率が異常である場合には、例えば燃焼装置の寿命と判断されるので、適切な安全処理を行うことによって、装置損傷などのトラブルを未然に防止することができ、もって、請求項１に記載の発明に係る全一次式燃焼バーナの燃焼制御装置の好適な手段が得られる。
【００３６】
請求項１０に記載の発明によれば、請求項１〜９のいずれか１項に記載の発明において、前記圧力調整手段が、前記燃料供給路に設置されて、その設置箇所よりも下流側の燃料供給圧力を大気圧に調整するゼロガバナにて構成されている。
すなわち、圧力調整手段としてのゼロガバナによって、その設置箇所よりも下流側の燃料供給圧力を、電気的な制御手段を使用せず、かつ、通風量の多少にかかわらず、大気圧に調整することができる。
したがって、ガバナ付き比例弁などの一般的なガスガバナと比較して、制御構成を簡素化できるようにしながら、燃料供給路から通風路への燃料供給圧力を安定状態に維持することができ、もって、請求項１〜９のいずれか１項に記載の発明に係る全一次式燃焼バーナの燃焼制御装置の好適な手段が得られる。
【００３７】
【発明の実施の形態】
本発明に係る燃焼制御装置を給湯装置に適用した場合の実施形態を図面に基づいて説明する。
〔第１実施形態〕
給湯装置は、図１に示すように、図外の例えば家庭用の水道などから供給される加熱対象物としての水を加熱して図外の出湯栓に給湯する給湯部Ｋ、この給湯部Ｋの動作を制御する制御部Ｈ、この制御部Ｈに動作情報を指令するリモコン操作部Ｒを備えて構成されている。
【００３８】
前記給湯部Ｋには、燃焼室１内に設けられた水加熱用の熱交換器２、この熱交換器２を加熱するガス燃焼式の全一次予混合型のバーナ３、通風ファン４などが備えられている。そして、通風ファン４は、燃焼用空気を通風路７を通して上記バーナ３に通風すると共に、その通風に伴って供給される燃料ガスを燃焼用空気と混合して上記バーナ３に供給し、且つ、バーナ３の燃焼ガスを水を加熱させるように前記熱交換器２に流動させている。図中、２５は通風路７に対する燃焼用空気の吸入口であり、４ａは、通風ファン４の回転速度を検出するファン回転速度検出手段としての回転速度センサであり、４ｂは通風ファン４のファン駆動モータである。
【００３９】
そして、熱交換器２には、水が供給される入水路５、加熱後の湯水を出湯する出湯路６がそれぞれ接続され、入水路５には、熱交換器２への通水量を検出する水量センサ８、入水路５を通して供給される水の温度を検出する入水温サーミスタ９が設けられている。
また、出湯路６には、図外の出湯栓から出湯される湯水の温度を検出する出湯温サーミスタ１０が設けられている。
【００４０】
前記通風路７に対して燃料を供給する燃料供給路１１が、通風ファン４の通風作用により吸引力が作用するように、前記通風路７における通風ファン４の設置箇所よりも上流側部分に接続されている。つまり、通風ファン４の回転速度を高くして、燃焼用空気の通風量を大きくするほど、通風路７によってバーナ３に供給される燃料ガス供給量が大きくなるように構成されている。
そして、この燃料供給路１１には、燃料供給方向の上流側から、燃料供給を断続する電磁操作式の安全弁１２およびメイン弁１３、その設置箇所よりも下流側の燃料供給圧力を大気圧に調整するゼロガバナ１４、燃料供給路１１から通風路７への燃料供給量を調整する燃料供給量調整手段としての燃料調整弁１５のそれぞれが設けられている。従って、燃料供給路１１から通風路７に供給される燃料の供給圧力を設定圧力に自動調整する圧力調整手段が、燃料供給路１１に設置されて、その設置箇所よりも下流側の燃料供給圧力を設定圧力としての大気圧に調整する上記ゼロガバナ１４にて構成されている。
【００４１】
また、バーナ３の近くには、バーナ３に対する点火動作を実行するイグナイタ１６と、バーナ３が着火されているか否かを検出するフレームロッド１７とがそれぞれ備えられている。
【００４２】
前記ゼロガバナ１４について説明を加えると、図２に示すように、ガス通路の開度を調整する弁体１４ａ、大気圧Ｐｔとゼロガバナ出口圧力Ｐ２の圧力差を受けるダイヤフラム１４ｂ、弁体１４ａおよびダイヤフラム１４ｂを支えるスプリング１４ｃ、スプリング１４ｃを調節する調節機構１４ｄなどから構成されている。
そして、例えば、ゼロガバナ入口圧力Ｐ１が上昇側に圧力変動したときには、その圧力変動に伴ってゼロガバナ出口圧力Ｐ２も上昇側に圧力変動するが、ゼロガバナ出口圧力Ｐ２の圧力変動に伴って、弁体１４ａが下方移動し、ゼロガバナ出口圧力Ｐ２を下降側に圧力変動させて、ゼロガバナ出口圧力Ｐ２が大気圧Ｐｔになるように調整する。
また、大気圧Ｐｔが上昇側に圧力変動したときには、その圧力変動に伴って弁体１４ａが上方移動し、ゼロガバナ出口圧力Ｐ２が上昇側に変動した大気圧Ｐｔになるように調整する。
このようにして、ゼロガバナ１４への一次燃料供給圧力Ｐ１や大気圧Ｐｔが変動した場合においても、ゼロガバナ出口圧力Ｐ２が大気圧Ｐｔになるように調整される。
【００４３】
前記燃料調整弁１５について説明を加えると、図３に示すように、ステッピングモータ１５ａ、ステッピングモータ１５ａの調整に対応してガス通路を開閉する開閉機構１５ｂから構成されている。
そして、燃料ガスに対して、燃料ガスと燃焼用空気との混合比が適正範囲になるように、ステッピングモータ１５ａの調整により開閉機構１５ｂを回転作動させて、上記混合比を調整するように構成されている。
ちなみに、図３の（ロ）に示すものでは、通風路７における燃料ガスと燃焼用空気との混合比が適正範囲になるように、ガス通路の通路面積を小さい面積になるように調整している。
尚、上記混合比は空気比λともいい、理論空気量に対する実際空気量の比を表わし、混合比の適正範囲として、空気比λ＝１．３程度に調整される。
【００４４】
前記リモコン操作部Ｒは、給湯部Ｋの運転の開始・停止を指令する運転スイッチ１８、出湯用目標温度を変更設定自在な温度設定スイッチ２０、出湯温度や出湯用目標温度などを表示する表示部２１、運転状態であることを表示する運転ランプ２２、バーナ３が燃焼状態であることを表示する燃焼ランプ２３などを備えて構成されている。
【００４５】
前記制御部Ｈは、マイクロコンピュータを備えて構成され、この制御部Ｈに、前記回転速度センサ４ａ、水量センサ８、入水温サーミスタ９、出湯温サーミスタ１０、フレームロッド１７、及びリモコン操作部Ｒに備えた各スイッチからの検出情報が入力されている。
一方、制御部Ｈから、前記ファン駆動モータ４ｂ、前記イグナイタ１６、前記安全弁１２、前記メイン弁１３、及び前記燃料調整弁１５に対する各駆動信号が出力されている。
【００４６】
そして、前記制御部Ｈは、リモコン操作部Ｒの操作指令及び各センサの検出情報に基づいて、給湯部Ｋの動作を制御するように構成されている。具体的には、熱交換器２への通水が開始されるに伴ってバーナ３の燃焼を開始し、熱交換器２への通水が停止されるに伴ってバーナ３の燃焼を停止させるとともに、熱交換器２への通水が検出されているときには、出湯温度が出湯用目標温度になるように通風ファン４の回転速度を制御する。
つまり、前記制御部Ｈを利用して、供給される水が目標加熱状態となるように（具体的には、出湯温度が出湯用目標温度になるように）、前記通風ファン４の回転速度を制御する燃焼制御処理を実行する制御手段１００が構成されている。
【００４７】
前述のように、通風ファン４の回転速度の増大に伴って、バーナ３への燃料ガス供給量が増加してバーナ３の燃焼量（発熱量に相当する）が大きくなることから、前記制御部Ｈに、通風ファン４の回転速度とその回転速度に対応するバーナ３の基準燃焼量との関係を、燃焼基準関係として記憶する燃焼基準関係記憶手段Ｍ１が構成されている。この燃焼基準関係は、具体的には、図４に示すように、通風ファン４の回転速度（ｒｐｍ）とバーナ３の燃焼量ＩＰ（ＫＷ）との直線関係を示す基準ファンコントロールラインＬｋにて表わされる。尚、この基準ファンコントロールラインＬｋよりも回転速度大側に３パーセントずれた位置（ラインＬｋ１で示す）と、マイナス側に３パーセントずれた位置（ラインＬｋ２で示す）との間が、基準ファンコントロールラインＬｋに対する適正範囲として設定されている。
【００４８】
また、上記燃焼基準関係において、バーナ３の燃焼量ＩＰの設定変動範囲が、最大燃焼量ＩＰｍａｘと最小燃焼量ＩＰｍｉｎとの間の燃焼量の範囲として設定されている。つまり、適正な燃焼が行えるように、前記燃焼制御処理で変動させるバーナ３の燃焼量ＩＰをこの設定変動範囲内に制限しているのである。
また、上記燃焼基準関係において、通風ファン４の設定速度範囲が最大回転速度Ｖｍａｘと最小回転速度Ｖｍｉｎとの間の回転速度の範囲として設定されている。そして、この通風ファン４の設定速度範囲は、バーナ３の燃焼量ＩＰを上記設定変動範囲内で変化させたときに、前記基準ファンコントロールラインＬｋに沿って変化する速度範囲よりも広い速度範囲となるように設定されている。
【００４９】
上記制御部Ｈによる制御処理について追加説明すると、運転スイッチ１８のＯＮ操作に伴って運転状態に設定された後に、図外の出湯栓の開操作に伴って水量センサ８にて検出される通水量が設定水量を超えると、通風ファン４による通風作動を開始し、かつ、安全弁１２およびメイン弁１３を開弁させて点火用ガス量になるように通風ファン４の回転数を調整するとともに、イグナイタ１６によってバーナ３の点火動作を行い、フレームロッド１７によってバーナ３の着火を確認する点火処理を実行する。
その後、前記燃焼制御処理として、入水温サーミスタ９、出湯温サーミスタ１０、水量センサ８のそれぞれの検出情報、および、温度設定スイッチ２０にて設定されている出湯用目標温度の情報に基づいて、出湯温度を出湯用目標温度にするために必要なガス量になるように通風ファン４の回転速度を調整するフィードフォワード制御を実行するとともに、出湯温サーミスタ１０の検出温度と出湯用目標温度との偏差に応じて通風ファン４の回転速度を微調整するフィードバック制御を実行する。
【００５０】
具体的には、前記制御手段１００は、上記フィードフォワード制御の実行において、水を出湯用目標温度（目標加熱状態）に加熱するのに必要とするバーナ３の燃焼量を水の加熱前の熱状態の検出情報（入水温度）から求め、且つ、その求めたバーナ３の燃焼量と前記燃焼基準関係記憶手段Ｍ１に記憶されている燃焼基準関係（図４に示す基準ファンコントロールラインＬｋ）とに基づいて、水を出湯用目標温度にするための通風ファン４の目標回転速度を求めて、その求めた回転速度に通風ファン４の回転速度を制御するように構成されている。
【００５１】
そして、バーナ３を燃焼作動させているときに、運転スイッチ１８がＯＦＦ操作されたり、図外の出湯栓の閉操作に伴って水量センサ８にて検出される通水量が設定水量未満になると、安全弁１２とメイン弁１３を閉弁して、通風ファン４を設定時間通風作動させたのち停止させて、バーナ３の燃焼を停止させる燃焼停止処理を実行する。
【００５２】
前記制御部Ｈは、前記通風ファン４の回転速度を制御するときに、ファン駆動モータ４ｂを所謂デューティ駆動している。つまり、図５に示すように、所定周期に設定された駆動周期Ｔ毎にファン駆動電圧信号をファン駆動モータ４ｂに対して出力するとともに、その駆動信号のオン時間ｔｆと駆動周期Ｔとの時間比  （デューティ比）を変化させることにより、通風ファン４の回転速度を速くするときはデューティ比を大きくし、通風ファン４の回転速度を遅くするときはデューティ比を小さくするように駆動制御している。
【００５３】
上記のように、通風ファン４に対してデューティ駆動制御しているときに、通風ファン４の通風量を増加させるにはデューティ比を大きくし、通風ファン４の通風量を減少させるにはデューティ比を小さくすることになるが、この場合において、上記通風ファン４の通風量が通風ファン４の仕事量に相当するので、上記デューティ比から通風ファン４の仕事量を求めることができる。そこで、前記制御部Ｈを利用して、前記通風ファン４の実仕事量を検出するファン仕事量検出手段１０１が構成されている。
【００５４】
ところで、通風ファン４の仕事量（通風量）は、通風ファン４の回転速度を上げて通風圧力を高くするほど大きくなるが、ファン回転速度の外に、前記通風路７の空気吸入口２５、前記燃料調整弁１５の開度、通風路７の内部、及び燃焼ガスの排出路などでの圧力損失によっても変化する。ただし、これらの圧力損失値が所定値に設定された燃焼装置が正常に設置された状態（以下、基準設置状態という）では、通風ファン４の回転速度を上げるほどファン仕事量が大きくなるとともに、そのファン回転速度の増加とファン仕事量の増加の関係が、定まった関係として得られることになる。
そこで、前記制御部Ｈに、上記基準設置状態についての、前記通風ファン４の回転速度とその回転速度に対応する基準仕事量との関係を、ファン基準関係として記憶するファン基準関係記憶手段Ｍ２が構成されている。このファン基準関係は、具体的には、図６に示すように、通風ファン４の回転速度（ｒｐｍ）と通風ファン４の基準仕事量ｗｋ（前記デューティ比）との直線関係を示す基準ファン仕事量ラインＦｗにて表わされる。尚、この基準ファン仕事量ラインＦｗの仕事量よりもプラス側に３パーセントずれた位置（ラインＦｗ１で示す）と、マイナス側に３パーセントずれた位置（ラインＦｗ２で示す）との間が、基準ファン仕事量ラインＦｗに対する適正範囲として設定されている。
【００５５】
また、上記ファン基準関係において、通風ファン４の仕事量の設定変動範囲が最大仕事量Ｗｍａｘと最小仕事量Ｗｍｉｎとの間の仕事量の範囲として設定されている。つまり、通風ファン４が適正に通風作動するように、前記燃焼制御処理における通風ファン４の仕事量の変動範囲をこの設定変動範囲内に制限しているのである。
また、上記ファン基準関係において、通風ファン４の設定速度範囲が最大回転速度Ｖｍａｘと最小回転速度Ｖｍｉｎとの間の回転速度の範囲として設定されている。そして、この通風ファン４の設定速度範囲は、通風ファン４の仕事量を上記設定変動範囲内で変化させたときに、前記基準ファン仕事量ラインＦｗに沿って変化する速度範囲よりも広い速度範囲となるように設定されている。
【００５６】
また、前記制御部Ｈを利用して、前記供給される水の燃焼ガスからの受熱量に基づいて前記バーナ３の実燃焼量を求める燃焼量算出手段１０２が構成されている。具体的には、下式に示すように、前記入水温サーミスタ９にて検出される入水温度Ｋｗ（℃）、出湯温サーミスタ１０にて検出される出湯温度Ｋｙ（℃）、及び、水量センサ８にて検出される通水量Ｋｔ（リットル／ｓｅｃ）の各情報から、水が燃焼ガスとの熱交換によって得た受熱量ＯＰ（ＫＷ）が求まり、この受熱量ＯＰ（ＫＷ）を、燃焼ガスにて給水される水を加熱するときの熱効率η（％）の値で割ることによって、バーナ３の実燃焼量ＩＰ（ＫＷ）が算出される。尚、熱効率η（％）の値は設置初期においては所定の既知の値である。又、ａは、カロリー単位（ｃａｌ）をジュール（Ｊ）に変換するときの変換係数（約４．２Ｊ／ｃａｌ）である。
【００５７】
【数１】
ＯＰ＝ａ×（Ｋｙ−Ｋｗ）×Ｋｔ
ＩＰ＝ＯＰ×１００／η
【００５８】
前記制御手段１００は、前記燃焼制御処理において、
前記回転速度センサ４ａにて検出される通風ファン４の回転速度と前記燃焼基準関係記憶手段Ｍ１にて記憶されている燃焼基準関係とに基づいて求められる、その回転速度での基準燃焼量である判定燃焼量に対して、前記燃焼量算出手段１０２にて算出される実燃焼量ＩＰが適正範囲を外れ、且つ、前記回転速度センサ４ａにて検出される通風ファン４の回転速度と前記ファン基準関係記憶手段Ｍ２にて記憶されているファン基準関係とに基づいて求められる、その回転速度での基準仕事量である判定仕事量ｗｋに対して、前記ファン仕事量検出手段１０１にて検出される実仕事量が適正範囲を外れている場合には、前記通風ファン４による通風状態が異常である通風異常であると判別し、
前記判定燃焼量に対して前記実燃焼量ＩＰが上記適正範囲を外れ、且つ、前記判定仕事量ｗｋに対して前記実仕事量が上記適正範囲内である場合には、前記熱効率が異常である熱効率異常であると判別する判別処理を実行するように構成されている。
【００５９】
因みに、図４に、通風ファン４の回転速度が例えば４５００ｒｐｍのときの判定燃焼量がＩＰｓにて示され、その判定燃焼量ＩＰｓに対する適正範囲が、判定燃焼量ＩＰｓを挟んで左右方向に沿う、ラインＬｋ１とラインＬｋ２の間の燃焼量の範囲として示されている。又、図６に、通風ファン４の回転速度が例えば４５００ｒｐｍのときの判定仕事量がｗｋｓにて示され、その判定仕事量ｗｋｓに対する適正範囲が、判定仕事量ｗｋｓを挟んで上下方向に沿う、ラインＦｗ１とラインＦｗ２の間の仕事量の範囲として示されている。
【００６０】
前記制御手段１００は、前記判別処理において、前記通風異常として、前記判定燃焼量ＩＰｓに対して前記実燃焼量ＩＰが適正範囲を減少側に外れ（図４において、その実燃焼量をＩＰ１で示す）、且つ、前記判定仕事量ｗｋｓに対して前記実仕事量が適正範囲を減少側に外れ（図６において、その実仕事量をｗｋ１で示す）ている第１異常状態と、前記判定燃焼量ＩＰｓに対して前記実燃焼量ＩＰが適正範囲を増加側に外れ（図４において、その実燃焼量をＩＰ２で示す）、且つ、前記判定仕事量ｗｋｓに対して前記実仕事量が適正範囲を減少側に外れ（図６において、その実仕事量をｗｋ１で示す）ている第２異常状態と、前記判定燃焼量ＩＰｓに対して前記実燃焼量ＩＰが適正範囲を増加側に外れ（図４において、その実燃焼量をＩＰ２で示す）、且つ、前記判定仕事量ｗｋｓに対して前記実仕事量が適正範囲を増加側に外れ（図６において、その実仕事量をｗｋ２で示す）ている第３異常状態と、前記判定燃焼量ＩＰｓに対して前記実燃焼量ＩＰが適正範囲を減少側に外れ（図４において、その実燃焼量をＩＰ１で示す）、且つ、前記判定仕事量ｗｋｓに対して前記実仕事量が適正範囲を増加側に外れ（図６において、その実仕事量をｗｋ２で示す）ている第４異常状態とを区別して判別するように構成されている。
【００６１】
つまり、上記第１異常状態は、燃料供給路１１から通風路７に供給された燃料が吸入口２５から吸入された燃焼用空気と混合されたのち、通風ファン４を経てバーナ３に至り燃焼ガスとして排気されるように通風される排気経路のいずれかの箇所において閉塞が生じ、そのためバーナ３への燃料供給量が少なくなって実燃焼量ＩＰが減少した排気閉塞異常であり、一方、第２異常状態は、通風路７に対する燃焼用空気の空気供給経路のいずれかの箇所において閉塞が生じ、そのため燃焼用空気の供給量が減少するとともに、その空気量の減少に応じてバーナ３への燃料供給量が多くなり、実燃焼量ＩＰが増加した給気閉塞異常であると判別される。
又、上記第３異常状態は、上記排気経路のいずれかの箇所における圧力損失が少なくなり、そのためバーナ３への燃料供給量が多くなって実燃焼量ＩＰが増加した排気開放異常であり、一方、第４異常状態は、上記空気供給経路のいずれかの箇所における圧力損失が少なくなり、そのため燃焼用空気の供給量が増加するとともに、その空気量の増加に応じてバーナ３への燃料供給量が少なくなり、実燃焼量ＩＰが減少した給気開放異常であると判別される。
【００６２】
そして、前記制御手段１００が、前記燃焼制御処理において、前記判別処理によって前記第１異常状態を判別した場合には、前記燃焼基準関係記憶手段Ｍ１にて記憶されている燃焼基準関係において、同一の回転速度に対応する基準燃焼量を小側に移動させる補正、及び、前記ファン基準関係記憶手段Ｍ２にて記憶されているファン基準関係において、同一の回転速度に対応する基準仕事量を小側に移動させる補正を行うように構成されている。
上記燃焼基準関係及びファン基準関係の補正について、具体的に説明すると、図４に示すように、第１異常状態を判別したときに実燃焼量ＩＰがＩＰ１に減少しているので、前記燃焼基準関係記憶手段Ｍ１にて記憶されている前記基準ファンコントロールラインＬｋを、その減少した燃焼量ＩＰ１の位置を通る燃焼量小側の補正ファンコントロールラインＬｍ１の位置まで移動させるように補正する。尚、このファンコントロールラインの補正に対応させて、後述の点火処理を行うときの通風ファン４の点火用回転速度も、高くなるように修正する。
また、図６に示すように、第１異常状態を判別したときに実仕事量がｗｋ１に減少しているので、前記ファン基準関係記憶手段Ｍ２にて記憶されている前記基準ファン仕事量ラインＦｗを、その減少した仕事量ｗｋ１の位置を通る仕事量小側のファン仕事量ラインＦｍ１の位置まで移動させるように補正する。
【００６３】
同様に、前記制御手段１００が、前記第３異常状態を判別した場合には、前記燃焼基準関係記憶手段Ｍ１にて記憶されている燃焼基準関係において、同一の回転速度に対応する基準燃焼量を大側に移動させる補正、及び、前記ファン基準関係記憶手段Ｍ２にて記憶されているファン基準関係において、同一の回転速度に対応する基準仕事量を大側に移動させる補正を行うように構成されている。
具体的に説明すると、図４に示すように、前記燃焼基準関係記憶手段Ｍ１にて記憶されている前記基準ファンコントロールラインＬｋを、増加した燃焼量ＩＰ２の位置を通る燃焼量大側の補正ファンコントロールラインＬｍ２の位置まで移動させるように補正する。尚、このファンコントロールラインの補正に対応させて、後述の点火処理を行うときの通風ファン４の点火用回転速度も、低くなるように修正する。また、図６に示すように、前記ファン基準関係記憶手段Ｍ２にて記憶されている前記基準ファン仕事量ラインＦｗを、増加した仕事量ｗｋ２の位置を通る仕事量大側のファン仕事量ラインＦｍ２の位置まで移動させるように補正する。
【００６４】
さらに、前記制御手段１００は、前記燃焼基準関係の補正を行った結果、その補正後の燃焼基準関係において前記バーナ３の燃焼量の前記設定変動範囲における最大値（最大燃焼量ＩＰｍａｘ）に対応する通風ファン４の回転速度が前記設定速度範囲を外れる場合、又は、前記ファン基準関係の補正を行った結果、その補正後のファン基準関係において前記通風ファン４の仕事量の前記設定変動範囲における最大値（最大仕事量Ｗｍａｘ）に対応する通風ファン４の回転速度が前記設定速度範囲を外れる場合には、前記通風異常が過大である（以下、この状態を、排気圧損大側異常という）と判断して、安全処理を実行するように構成されている。
安全処理としては、バーナ３の燃焼作動を停止させるとともに、前記リモコン操作部Ｒに備えたランプ２２，２３を点滅作動させ、さらに、前記表示部２１に異常発生の文字を表示して、異常の発生を知らせるようにする。
【００６５】
上記排気圧損大側異常の判断について具体的に説明すると、図４に示すように、補正後の燃焼基準関係であるファンコントロールラインＬｍ１において、バーナ３の前記設定変動範囲における最大燃焼量ＩＰｍａｘに対応する通風ファン４の回転速度が前記設定速度範囲の最大速度Ｖｍａｘを超えている（図においてαで示す）ので、排気圧損大側異常であると判断する。
また、図６に示すように、補正後のファン基準関係であるファン仕事量ラインＦｍ１において、通風ファン４の前記設定変動範囲における最大仕事量Ｗｍａｘに対応する通風ファン４の回転速度が前記設定速度範囲の最大速度Ｖｍａｘを超えている（図においてβで示す）ので、前記排気圧損大側異常であると判断する。
【００６６】
尚、前記制御手段１００は、前記燃焼基準関係の補正を行った結果、その補正後の燃焼基準関係において前記バーナ３の燃焼量の前記設定変動範囲における最小値（最小燃焼量ＩＰｍｉｎ）に対応する通風ファン４の回転速度が前記設定速度範囲を外れる場合、又は、前記ファン基準関係の補正を行った結果、その補正後のファン基準関係において前記通風ファン４の仕事量の前記設定変動範囲における最小値（最小仕事量Ｗｍｉｎ）に対応する通風ファン４の回転速度が前記設定速度範囲を外れる場合にも、前記通風異常が過大である（以下、この状態を、排気圧損小側異常という）と判断して、前記安全処理を実行するように構成されている。
【００６７】
一方、前記制御手段１００が、前記燃焼制御処理において、前記判別処理によって前記第２異常状態を判別した場合には、前記燃料調整弁１５を供給量減少側に調整するとともに、前記燃焼基準関係記憶手段Ｍ１に記憶されている燃焼基準関係において、同一の回転速度に対応する基準燃焼量を小側に移動させる補正、及び、前記ファン基準関係記憶手段Ｍ２に記憶されているファン基準関係において、同一の回転速度に対応する基準仕事量を小側に移動させる補正を行うように構成されている。
【００６８】
上記燃料供給量の調整と、燃焼基準関係及びファン基準関係の補正について、具体的に説明すると、図４に示すように、前記第２異常状態では、燃焼用空気の供給量が減少する一方で実燃焼量ＩＰがＩＰ２まで増加し、前記混合比が適正範囲から空気供給量不足側にずれているので、その増加した燃焼量ＩＰ２を減少させて、前記混合比が適正範囲となるように調整するとともに、前記燃焼基準関係記憶手段Ｍ１にて記憶されている前記基準ファンコントロールラインＬｋを、上記減少させた燃焼量（例えばＩＰ３）の位置を通る補正ファンコントロールラインＬｍ３の位置まで移動させるように補正する。
また、図６に示すように、第２異常状態を判別したときに、実仕事量がｗｋ１に減少しているので、前記ファン基準関係記憶手段Ｍ２にて記憶されている前記基準ファン仕事量ラインＦｗを、その減少した仕事量ｗｋ１の位置を通る補正ファン仕事量ラインＦｍ１の位置まで移動させるように補正する。
【００６９】
又、前記制御手段１００が、前記第４異常状態を判別した場合には、前記燃料調整弁１５を供給量増加側に調整するとともに、前記燃焼基準関係記憶手段Ｍ１に記憶されている燃焼基準関係において、同一の回転速度に対応する基準燃焼量を大側に移動させる補正、及び、前記ファン基準関係記憶手段Ｍ２に記憶されているファン基準関係において、同一の回転速度に対応する基準仕事量を大側に移動させる補正を行うように構成されている。
具体的には、図４に示すように、減少した燃焼量ＩＰ１を増加させて、前記混合比が適正範囲となるように調整するとともに、前記燃焼基準関係記憶手段Ｍ１にて記憶されている前記基準ファンコントロールラインＬｋを、上記増加させた燃焼量（例えばＩＰ４）の位置を通る補正ファンコントロールラインＬｍ４の位置まで移動させるように補正する。
また、図６に示すように、前記ファン基準関係記憶手段Ｍ２にて記憶されている前記基準ファン仕事量ラインＦｗを、増加した仕事量ｗｋ２の位置を通る補正ファン仕事量ラインＦｍ２の位置まで移動させるように補正する。
【００７０】
そして、前記制御手段１００は、前記燃料調整弁１５の調整を行った結果、その調整が前記燃料調整弁１５の設定調整範囲を外れる場合には、前記通風異常が過大であると判断して、安全処理を実行するように構成されている。この場合において、燃料調整弁１５の設定調整範囲は、前記開閉機構１５ｂの最大弁開度位置と、前記開閉機構１５ｂの最小弁開度位置との間の調整範囲に設定される。尚、安全処理としては、前記第１異常状態を判別した場合の処理と同様の処理を実行する。
【００７１】
又、前記制御手段１００は、前記第２異常状態の判別に基づいて前記燃焼基準関係の補正を行った結果、その補正後の燃焼基準関係において前記バーナ３の燃焼量の前記設定変動範囲における最大値（最大燃焼量ＩＰｍａｘ）に対応する通風ファン４の回転速度が前記設定速度範囲を外れる場合、又は、前記第２異常状態の判別に基づいて前記ファン基準関係の補正を行った結果、その補正後のファン基準関係において前記通風ファン４の仕事量の前記設定変動範囲における最大値（最大仕事量Ｗｍａｘ）に対応する通風ファン４の回転速度が前記設定速度範囲を外れる場合には、前記通風異常が過大である（以下、この状態を、給気圧損大側異常という）と判断して、安全処理を実行するように構成されている。この給気圧損大側異常の判断、及び、安全処理については、前述の第１異常状態の場合と同様に行う。
【００７２】
尚、前記制御手段１００は、前記第２異常状態の判別に基づいて前記燃焼基準関係の補正を行った結果、その補正後の燃焼基準関係において前記バーナ３の燃焼量の前記設定変動範囲における最小値（最小燃焼量ＩＰｍｉｎ）に対応する通風ファン４の回転速度が前記設定速度範囲を外れる場合、又は、前記ファン基準関係の補正を行った結果、その補正後のファン基準関係において前記通風ファン４の仕事量の前記設定変動範囲における最小値（最小仕事量Ｗｍｉｎ）に対応する通風ファン４の回転速度が前記設定速度範囲を外れる場合にも、前記通風異常が過大である（以下、この状態を、給気圧損小側異常という）と判断して、前記安全処理を実行するように構成されている。
【００７３】
次に、前記熱効率異常の判別について説明すると、前記制御手段１００が、前記判別処理において、前記熱効率異常として、前記判定燃焼量ＩＰｓに対して前記実燃焼量ＩＰが適正範囲を減少側に外れ、且つ、前記判定仕事量ｗｋｓに対して前記実仕事量が適正範囲内である熱効率小側異常と、前記判定燃焼量ＩＰｓに対して前記実燃焼量ＩＰが適正範囲を増加側に外れ、且つ、前記判定仕事量ｗｋｓに対して前記実仕事量が適正範囲内である熱効率大側異常とを区別し、前記燃焼制御処理において、前記判別処理によって前記熱効率小側及び大側異常を判別した場合には、安全処理を実行するように構成されている。尚、安全処理については、前述の通風異常の場合と同様の処理を行う。
【００７４】
つまり、熱効率ηの値は設置初期においては所定の既知の値であり、初期値は設定範囲内に収まっている。しかし、給湯装置の使用に伴って初期値から変化して、上記のように、熱効率ηが設定範囲を大側又小側に外れたときは、熱交換器２などにおいて異常が生じている可能性があるので、熱効率異常と判断して、バーナ３の燃焼作動の停止等の安全処理を実行するのである。
【００７５】
次に、制御部Ｈの制御動作について、図７〜図１０のフローチャートに基づいて説明する。
メインフローでは、リモコン操作部Ｒの運転スイッチ１８のＯＮ操作により電源がオンすると、図外の出湯栓の開操作に伴って水量センサ８にて検出される通水量が設定水量を超えて、通水報知されるに伴って、バーナ３の点火処理を行う。この点火処理の後、点火したことが確認されない場合には、点火異常と判断してバーナ３の消火処理を行うとともに、前記ランプ２２，２３の点滅作動と前記表示部２１への異常発生の文字表示を行い、リセット操作されるまで待機する。そして、リセット操作されると、上記水量センサ８による通水検知のステップに戻る。尚、リセット操作は、例えば制御部Ｈに備えた図示しないリセットスイッチを押すことによりなされる。
【００７６】
上記点火処理の後、点火が確認された場合には、給水された水が目標出湯温度になるようにバーナ３の燃焼量を調整するために、前記通風ファン４の回転速度を制御する前記燃焼制御処理の実行による湯温制御を行うと共に、前記熱効率η、前記排気経路における排気路圧損ＰＯ、及び、前記空気供給経路における給気路圧損ＰＩを夫々演算により求める判別処理を実行する。
【００７７】
具体的には、熱効率ηについては、前記熱効率大側異常を判別していれば、熱効率ηが設定範囲の最大値ηＨよりも大きいと判断し、前記熱効率小側異常を判別していれば、熱効率ηが設定範囲の最小値ηＬよりも小さいと判断する。
また、排気路圧損ＰＯについては、前記排気圧損大側異常を判別していれば、排気路圧損ＰＯが設定範囲の最大値ＰＯＨよりも大きいと判断し、前記排気圧損小側異常を判別していれば、排気路圧損ＰＯが設定範囲の最小値ＰＯＬよりも小さいと判断する。
給気路圧損ＰＩについては、前記給気圧損大側異常を判別していれば、給気路圧損ＰＩが設定範囲の最大値ＰＩＨよりも大きいと判断し、前記給気圧損小側異常を判別していれば、給気路圧損ＰＩが設定範囲の最小値ＰＩＬよりも小さいと判断する。
【００７８】
そして、前記判別処理の結果に基づいて、先ず、前記熱効率ηの異常判定処理を行い、熱効率異常が判定されると、バーナ１の消火動作と、前記ランプ２２，２３の点滅作動及び前記表示部２１への異常発生の文字表示による警報作動とを行った後、制御を終了する（以下、このバーナ１の消火動作から制御終了までのフローを、安全処理を実行するフローとする）。熱効率異常でない場合には、前記排気路圧損ＰＯの変化に対する調整・補正処理（１）と前記給気路圧損ＰＩの変化に対する調整・補正処理（２）を実行する。尚、この調整・補正処理（１）には、前記排気路圧損ＰＯについての異常判定処理が含まれ、調整・補正処理  （２）には、前記給気路圧損ＰＩについての異常判定処理が含まれる。
【００７９】
以下、前記湯温制御からの各処理を、運転スイッチ１８がＯＦＦ操作されるか、図外の出湯栓の閉操作に伴って水量センサ８にて検出される通水量が設定水量未満になり通水検知しなくなるまで実行する。
そして、運転スイッチ１８がＯＦＦ操作されるか、図外の出湯栓の閉操作に伴って水量センサ８にて検出される通水量が設定水量未満になり通水検知しなくなると、消火処理を実行する。
【００８０】
前記調整・補正処理（１）では（図９参照）、前記演算により求めた排気路圧損ＰＯが設定値内であるか否かを判断して、排気路圧損ＰＯが設定値よりも大側に外れている場合は、前記燃焼基準関係を燃焼量小側に補正するとともに、前記ファン基準関係を仕事量小側に補正し、排気路圧損ＰＯが設定値よりも小側に外れている場合は、前記燃焼基準関係を燃焼量大側に補正するとともに、前記ファン基準関係を仕事量大側に補正する。そして、上記補正後の燃焼基準関係とファン基準関係のいずれかにおいて、通風ファン４の回転速度範囲が前記設定速度範囲を外れている場合には、排気経路の圧力損失が異常と判断されるので、前記安全処理を実行するフローに移行する。一方、排気路圧損ＰＯが設定値内である場合、及び、上記補正後の燃焼基準関係とファン基準関係のいずれにおいても、通風ファン４の回転速度範囲が前記設定速度範囲を外れていない場合には、メインフローに戻る。
【００８１】
前記調整・補正処理（２）では（図１０参照）、前記演算により求めた給気路圧損ＰＩが設定値内であるか否かを判断して、給気路圧損ＰＩが設定値よりも大側に外れている場合は、前記燃料調整弁１５の弁開度が最小弁開度でない条件では閉側に操作するとともに、前記燃焼基準関係を燃焼量小側に補正し、一方、給気路圧損ＰＩが設定値よりも小側に外れている場合は、燃料調整弁１５の弁開度が最大弁開度でない条件では開側に操作するとともに、前記燃焼基準関係を燃焼量大側に補正する。上記燃料調整弁１５の弁開度を閉側に操作しようとする場合に、既に燃料調整弁１５の弁開度が最小弁開度に達しているとき、及び、上記燃料調整弁１５の弁開度を開側に操作しようとする場合に、既に燃料調整弁１５の弁開度が最大弁開度に達しているときは、空気供給経路の圧力損失が異常と判断されるので、前記安全処理を実行するフローに移行する。給気路圧損ＰＩが設定値内である場合には、メインフローに戻る。
【００８２】
〔第２実施形態〕
上記第１実施形態においては、燃料供給量調整手段（燃料調整弁１５）によって通風路７に供給する燃料の供給量を調整するように構成したが、この第２実施形態では、上記燃料供給量調整手段の代わりに、前記通風路７に吸入される燃焼用空気の供給量を調整する空気量調整手段を設け、さらに、制御手段１００による調整・補正処理（２）の処理内容が変更されているが、その他の構成および動作については、上記第１実施形態と同様であり、その詳細な説明は省略する。
つまり、図１１に示すように、前記通風路７に吸入される燃焼用空気の供給量を調整する空気量調整手段としての可動ダンパー２４が、通風路７への空気吸入口２５を開閉するように開度調節自在な状態に設けられている。つまり、ダンパー開度を大きくすると、上記燃焼用空気の供給量が多くなり、ダンパー開度を小さくすると、空気供給量が少なくなるように作動する。
【００８３】
そして、前記制御手段１００が、前記燃焼制御処理において、前記判別処理によって前記第２異常状態を判別した場合には、前記可動ダンパー２４を空気量増加側（ダンパー開度を大きくする側）に調整するように構成されている。
上記空気供給量の調整について、具体的に説明すると、前述のように、第２異常状態では、燃焼用空気の供給量が減少するとともに、実燃焼量ＩＰが増加して、前記混合比が適正範囲から空気供給量不足側にずれているので、その不足の空気量を補うように空気供給量を前記混合比が適正範囲となるまで増加させるように調整するのである。
【００８４】
さらに、前記制御手段１００が、上記可動ダンパー２４の調整を行った結果、その調整が可動ダンパー２４の設定調整範囲を外れる場合には、前記通風異常が過大であると判断して、前記安全処理を実行するように構成されている。この場合において、可動ダンパー２４の設定調整範囲は、最大開度位置と最小開度位置との間の調整範囲に設定される。
【００８５】
図１２に、第２実施形態における前記調整・補正処理（２）のフローチャートを示すが、このフローチャートは第１実施形態における図１０に対応するものであり、図１０との相違点は、前記燃料調整弁１５の代わりに可動ダンパー２４の開度調節を行う点と、基準ファンコントロールラインＬｋの補正処理を行わない点である。
具体的には、前記演算により求めた給気路圧損ＰＩが設定値内であるか否かを判断して、給気路圧損ＰＩが設定値よりも大側に外れている場合は、可動ダンパー２４の開度が最大開度でない条件ではダンパー開度を開側に操作し、一方、給気路圧損ＰＩが設定値よりも小側に外れている場合は、可動ダンパー２４の開度が最小開度でない条件ではダンパー開度を閉側に操作する。上記可動ダンパー２４の開度を開側に操作しようとする場合に、既に可動ダンパー２４の開度が最大開度に達しているとき、及び、上記可動ダンパー２４の開度を閉側に操作しようとする場合に、既に可動ダンパー２４の開度が最小開度に達しているときは、空気供給経路の圧力損失が異常と判断されるので、前記安全処理を実行するフローに移行する。給気路圧損ＰＩが設定値内である場合には、メインフローに戻る。
【００８６】
〔第３実施形態〕
この第３実施形態は、上記第１及び第２実施形態における燃焼用空気と燃料ガスの混合箇所についての別実施形態であり、その他の構成および動作については、上記第１及び第２実施形態と同様であるので、その詳細な説明は省略する。
つまり、上記第１及び第２実施形態においては、前記燃料供給路１１が前記通風路７における通風ファン４の設置箇所よりも通風方向の上流側部分において通風路７に接続されていた（これを、元混合式という）が、この第３実施形態では、図１３に示すように、前記燃料供給路１１が前記通風路７における通風ファン４の設置箇所よりも通風方向の下流側において、通風路７に接続されている（これを、先混合式という）。
尚、図１３には、第１実施形態に対応させて、燃料供給量調整手段（燃料調整弁１５）を設けた場合を示しているが、第２実施形態に対応させて、燃料供給量調整手段（燃料調整弁１５）に代えて、空気量調整手段（可動ダンパー２４）を設ける場合については図示を省略している。
【００８７】
〔別実施形態〕
上記第１〜第３実施形態では、燃料供給量調整手段（燃料調整弁１５）と空気量調整手段（可動ダンパー２４）のいずれか一方を設けるように構成したが、この両調整手段を設けて、前記制御手段１００が、前記第２異常状態を判別したときに、燃料供給量と燃焼用空気の両方を調整するように構成してもよい。
【００８８】
上記第１〜第３実施形態では、圧力調整手段としてゼロガバナを設けるようにしているが、ゼロガバナに限るものではなく、ガバナ付き比例弁などの一般的なガスガバナでもよい。
【００８９】
上記第１及び第３実施形態では、安全弁１２とメイン弁１３の２つの電磁操作式遮断弁を備える構成としたが、これに代えて、燃料調整弁１５に閉止機構を備えさせメイン弁を兼ねさせることでメイン弁が省かれる構成であってもよい。
【００９０】
上記第１〜第３実施形態では、本発明にかかる全一次式燃焼バーナの燃焼制御装置を給湯装置に適用した場合を例示しているが、暖房用の空調装置などのその他各種の装置に適用可能であり、例えば暖房用の空調装置に適応したときには、加熱対象物が空気となる。
【図面の簡単な説明】
【図１】第１実施形態における給湯装置の全体構成図
【図２】ゼロガバナの構成を示す断面図
【図３】燃料調整弁の構成を示す断面図
【図４】通風ファンの回転速度とバーナの燃焼量との燃焼基準関係を示すグラフ
【図５】通風ファンの駆動信号の波形図
【図６】通風ファンの回転速度と仕事量とのファン基準関係を示すグラフ
【図７】制御作動を示すフローチャート
【図８】制御作動を示すフローチャート
【図９】通風異常に対する調整・補正処理のフローチャート
【図１０】通風異常に対する調整・補正処理のフローチャート
【図１１】第２実施形態における給湯装置の全体構成図
【図１２】第２実施形態における通風異常に対する調整・補正処理のフローチャート
【図１３】第３実施形態における給湯装置の全体構成図
【符号の説明】
３              バーナ
４              通風ファン
４ａ            ファン回転速度検出手段
７              通風路
１１            燃料供給路
１４            圧力調整手段（ゼロガバナ）
１５            燃料供給量調整手段
２４            空気量調整手段
１００          制御手段
１０１          ファン仕事量検出手段
１０２          燃焼量算出手段
Ｍ１            燃焼基準関係記憶手段
Ｍ２            ファン基準関係記憶手段
【図１】
0004194228.tif 000002
【図２】
0004194228.tif 000003
【図３】
0004194228.tif 000004
【図４】
0004194228.tif 000005
【図５】
0004194228.tif 000006
【図６】
0004194228.tif 000007
【図７】
0004194228.tif 000008
【図８】
0004194228.tif 000009
【図９】
0004194228.tif 000010
【図１０】
0004194228.tif 000011
【図１１】
0004194228.tif 000012
【図１２】
0004194228.tif 000013
【図１３】
0004194228.tif 000014